(57)【特許請求の範囲】
【請求項１】
水が収容された容器内に投入されて使用されるハンディ型電極であって、
乾電池と、この乾電池を収納し、前記乾電池のプラス側に位置する第１のケース及びＯリングを介して前記第１のケースと螺合して乾電池のマイナス側に位置する第２のケースからなる筒状容器と、前記乾電池のプラス側に位置する前記第１のケースに取り付けられ、前記乾電池のプラス極に接続するプラス電極と、前記乾電池のマイナス側に位置する前記第２のケースに取り付けられ、前記乾電池のマイナス側に接続するマイナス電極と、前記筒状容器内に設けられた，液体又は人体を導体として点灯する発光ダイオードとを具備することを特徴とするハンディ型電極。
【請求項２】
前記プラス電極及びマイナス電極は、耐液浸透性を有することを特徴とする請求項１記載のハンディ型電極。
【発明の詳細な説明】
【０００１】
【発明の属する技術分野】
本発明はハンディ型電極に関し、特に観葉植物の延命、観賞魚水槽における雑菌の抑制、トイレの水槽等についた水垢の防止、茶渋の除去、及び消毒されていない水の飲料水化等に使用可能なハンディ型電極に関する。
【０００２】
【従来の技術】
周知の如く、例えば花瓶等に入れられた観葉植物は、一般に７日〜１４日程度経過すれば、花瓶の中の水が濁り、これに伴って観葉植物の葉が退色したり、枯れたりする等の問題があり、長い間観賞することができなかった。また、花瓶の水を毎日取り換えるのは大変煩わしい。
【０００３】
一方、トイレ用の水槽などにおいては、長期間経過すると、水槽の内壁に水垢がつき、汚れが目立つという問題があった。
【０００４】
【発明が解決しようとする課題】
本発明は、こうした事情を考慮してなされたもので、水が収容された容器内に投入して放置するだけで、花瓶等の容器内の水の汚れを回避して植物の寿命を延ばしたり、水垢を除去し得る等の効果を有する、取り扱いが容易でコンパクトな構成のハンディ型電極を提供することを目的とする。
【０００５】
【課題を解決するための手段】
本発明は、乾電池と、この乾電池を収納し、前記乾電池のプラス側に位置する第１のケース及びＯリングを介して前記第１のケースと螺合して乾電池のマイナス側に位置する第２のケースからなる筒状容器と、前記乾電池のプラス側に位置する前記第１のケースに取り付けられ、前記乾電池のプラス極に接続するプラス電極と、前記乾電池のマイナス側に位置する前記第２のケースに取り付けられ、前記乾電池のマイナス側に接続するマイナス電極と、前記筒状容器内に設けられた，液体又は人体を導体として点灯する発光ダイオードとを具備することを特徴とするハンディ型電極である。
【０００６】
【発明の実施の形態】
以下、本発明について更に詳しく説明する。
本発明において、電池としては、例えば乾電池（例えば、１．５Ｖ、１２Ｖ）、あるいはボタン型電池、あるいは充電可能な電池（二次電池）が挙げられるが、いずれでもよい。
【０００７】
本発明において、電池を収容する容器の材質としては、例えばポリプロピレン（ｐｐ）樹脂、アクリロニトリル・ブタジエン・スチレン（ＡＢＳ）樹脂等の樹脂が挙げられる。前記容器としては、電池を交換するため、電池のプラス側の第１のケースと、この第１のケースと取り外し自在に螺合する第２のケースと、第１・第２の螺合部（ネジ切り部）に配置されて容器内を密閉するためのＯリングから構成されたもの（図１参照）が好ましい。ここで、図１のタイプのハンディ型電極は、水等の液中に浸漬して液自体を塩素含有の飲料水等にするタイプである。
【０００８】
本発明において、ハンディ型電極としては、筒状の容器本体及びこの容器本体に嵌合され、電池、プラス電極、マイナス電極等を備えた蓋及びＯリングから構成されるものが挙げられる。この場合、前記容器本体及び蓋も、例えばポリプロピレン、ＡＢＳ等の樹脂が挙げられる。ここで、蓋としては、後述する図５に示すように２種類の蓋部材から構成されるものが挙げられる。図５のハンディ型電極の場合は、図１のそれと異なり、容器本体と蓋で囲まれた空洞部で除菌を目的とした塩素含有の食塩水を作るタイプである。
【０００９】
本発明において、図１のタイプのハンディ型電極の場合、前記プラス電極、マイナス電極の材質としては、ハンディ型電極自身が水など液中に浸漬して使用されるため、耐液浸透性を有するものであることが好ましい。一例としては、フェライトが挙げられるが、これに限らない。
【００１０】
本発明において、例えば２種類の電池を用いる場合、その種別を確認するため液体又は人体を導体として点灯する発光ダイオード（ＬＥＤ）を容器内に設けることが好ましい。例えば、１．５Ｖと１２Ｖの２種類の乾電池を用いられるハンディ型電極の場合、１２Ｖをセットしたとき点灯するようにセットすれば、容器内に収容した乾電池を収容した状態で容器内の電池の種類を区別できる。なお、上記液体としては、例えば水、食塩水、あるいはメッキ等の薬品が入った水溶液が挙げられる。
【００１１】
【実施例】
以下、本発明の実施例について図面を参照して説明する。なお、下記実施例で述べる構成部材の材質、数値等は一例を示すもので、本発明の権利範囲はこれにより特定されるものではない。
【００１２】
（実施例１）
以下、本発明の実施例１に係るハンディ型電極について図１及び図２（Ａ），（Ｂ）を参照して説明する。ここで、図１は本実施例に係るハンディ型電極の展開斜視図、図２（Ａ）は図１の要部Ｘの断面図、図２（Ｂ）は図２（Ａ）の部分拡大図を示す。なお、下記実施例に記載された構成要件の材質、数値等は一例を示すもので、本発明の権利範囲がこれによって限定されるものではない。
【００１３】
本実施例に係るハンディ型電極１は、１．５Ｖ又は１２Ｖの乾電池２と、この乾電池２を収容する断面形状が円筒の筒状容器３と、この筒状容器３の両端部に夫々嵌め込まれたプラス電極４及びマイナス電極５とを有する。前記筒状容器３の材質は、ポリプロピレンからなる。
【００１４】
前記筒状容器３は、乾電池２のプラス側に配置され、一端側に雄ネジ部６ａが形成された第１の筒状ケース６と、乾電池２のマイナス側に配置され、一端側に雌ネジ部（図示せず）が形成された第２の筒状ケース７とから構成されている。第１の筒状ケース６と第２の筒状ケース７は、ゴム製のＯリング８を介して螺合されている。前記第１の筒状ケース６の表面には、乾電池のプラス及び／又はマイナスの方向が表示されている。
【００１５】
前記第１の筒状ケース６の他端側には、図２に示すようにプラス電極４のつば部４ａを嵌め込めるためのリング状の溝９が形成されている。また、図示しないが、前記第２の筒状ケース７の他端側にも、第１の筒状ケース４と同様、マイナス電極５のつば部を嵌め込むためのリング状の溝が設けられている。
【００１６】
前記プラス電極４及びマイナス電極５は、夫々フェライト製である。第１の筒状ケース６の内側には、前記プラス電極４と接続する導電製の接続板１０が溶着により接続されている。一方、前記第２の筒状ケース７内のマイナス電極５側には、導電性コイルバネ１１が接続されている。第１の筒状ケース６、第２の筒状ケース７が螺合された状態で乾電池２のプラス極２ａは接続板１０を介してプラス電極４に接続し、乾電池２のマイナス極２ｂはコイルバネ１１を介してマイナス電極５に接続されている。
【００１７】
前記接続板１０は、図２（Ｂ）に示すように、絶縁体（ガラス布にエポキシ樹脂を含浸させ、焼成したもの）１０ａと、この絶縁体１０ａの両面に形成された１０ｂ、１０ｃとから構成されている。前記絶縁板１０には縁部には切り欠け部が設けられており、この切り欠け部にＬＥＤ１２が収納されている。そして、ＬＥＤ１２の端子１２ａは銅箔１０ａに接続され、端子１２ｂは銅箔１０ｂに接続されている。前記ＬＥＤ１２は、１２Ｖの乾電池を使用してハンディ型電極１を水の中に投入した場合にのみ点灯するようになっている。
【００１８】
上記実施例に係るハンディ型電極１は、上記したように、乾電池２と、この乾電池２を収容する筒状容器３と、この筒状容器３の両端に夫々嵌め込まれたプラス電極４及びマイナス電極５とを有し、前記筒状容器３は第１の筒状ケース６と第２の筒状ケース７をＯリング８を用いて螺合され、プラス電極４側の筒状容器３内にＬＥＤ１２を収容した構成となっている。従って、上記ハンディ型電極１を、観賞用植物を入れた花瓶の水の中に投入することにより、水の汚染を抑制し、植物の寿命を延ばすことができる。これは、理由は明らかでないが、ハンディ型電極１のプラス電極５とマイナス電極６間で水を介して分極現象が起こる為と予測される。また、ＬＥＤ１２の存在により、１２Ｖの乾電池を用いた場合にＬＥＤ１２が点灯するので、乾電池を容器内に収容したままで乾電池の種類が判別できる。更に、１２Ｖの乾電池を用いた場合、上記ハンディ型電極１は水の中に投入するだけでＬＥＤ１２が点灯するので、特別な回路やスイッチを用いる必要がなく、コンパクト化が可能となる。
【００１９】
事実、本発明のハンディ型電極を用いて以下の様々な実験を行なったところ、その効果が確認できた。
（１）図３に示すように、水２１をはった花瓶２２の底に１．５Ｖの乾電池を有したハンディ型電極１を投入し、花瓶２２に御榊２３を生けた場合、１５日間御榊２３の青葉を保つことができた。一方、ハンディ型電極１を投入しない場合、１週間程度で青葉が退色することが確認できた。
【００２０】
（２）コップの中に満たされた水にハンディ型電極を投入することにより、水の腐食を防止することが確認された。
（３）茶渋のついた茶碗に水及びこさじ一杯の食塩（約１０ｇ）を入れ、この水の中に１２Ｖの乾電池を有したハンディ型電極を投入したところ、約１時間で茶渋が取れることが確認できた。ここで、食塩を入れたのは、洗浄効果を高めるためである。但し、１．５Ｖの乾電池の場合でも時間はかかるが、茶渋が取れることが確認できた。なお、茶渋が取れる理由は、明確には分からないが、水中の塩素と食塩中のＮａが反応して次亜鉛素酸ソーダが生成され、これが茶渋を分解するためと予測される。
【００２１】
（４）上記（３）と同様、ボール等の容器に水及び食塩を入れ、この水の中に食器等を入れ、更に１２Ｖの乾電池を有したハンディ型電極を投入したところ、食器の除菌を行うことができた。また、水で満たされた容器の中にハンディ型電極を投入したところ、水の除菌ができ、飲料水として使用することができた。なお、食器の除菌や水の除菌は、海外の発展途上国等において特に有効と思われる。
【００２２】
（５）観賞魚や藻が入った水槽の底に１．５Ｖの乾電池を有したハンディ型電極を投入したところ、雑菌の増殖を抑え、藻の劣化や水質の劣化を抑えることを確認できた。
（６）トイレの水槽の底に１．５Ｖの乾電池を有したハンディ型電極を投入したところ、水槽の水垢の発生を防止できることが確認できた。
【００２３】
なお、上記実施例１では、電池として乾電池を用いた場合について述べたが、これに限らず、ボタン型電池や二次電池を用いてもよい。また、筒状容器としては円筒タイプの場合について述べたが、これに限らず、例えば正方形などのように四角形状でもよい。更に、前記筒状容器は分割タイプで、第１の筒状ケースと第２の筒状ケース及びＯリングにより構成されている場合であるが、これに限らず、例えばプラス電極もしくはマイナス電極を筒状容器の一端に嵌合するタイプでもよい。更には、ボタン型電池を用いた場合、図４に示すように、腕リング３１に取り外し自在にハンディ型電極３２をツメ３３により固定して取り付け、アクセサリー的な要素を加えて持ち運びやすいようにしても良い。
【００２４】
また、上記実施例１では、筒状容器の材質としてポリプロピレンを用いたが、これに限らず、例えばポリカーボネートのように透明な材質を用いてもよい。この場合、上記実施例のようにＬＥＤを筒状容器内に収納しなくても電池の種別を容器の外から判別できる。また、筒状容器に電池の向きを表示する必要もなくなる。
【００２５】
（参考例１）
図５を参照する。但し、図１と同部材は同符号を付して説明を省略する。
図中の符番４１は、材質が例えばポリプロピレンからなる筒状の容器本体を示す。この容器本体４１内には、必要に応じて食塩及び水からなる食塩水４２が投入される。前記容器本体４１の開口側の内側には、ネジ部４３が形成されている。前記容器本体４１には、第１の蓋部材４４ａ，第２の蓋部材４４ｂからなる蓋４４が取り外し自在に嵌合されている。ここで、蓋４４は、例えばポリプロピレン製である。
【００２６】
一方の第１の蓋部材４４ａの外周面には、前記容器本体４１のネジ部４３と螺合するネジ部４５が形成されている。前記蓋部材４４ａの容器本体側の端面には、後述するボタン型電池のプラス極に配線（図示せず）を介して電気的に接続する円形状のプラス電極４６、及びボタン型電池のマイナス電池のマイナス極に配線（図示せず）を介して電気的に接続する環状のマイナス電極４７が埋め込まれている。ここで、前記プラス電極４６及びマイナス電極４７の夫々の一方の主面は露出していて、食塩水４２を収用した容器本体４１に蓋４４を嵌合したとき、露出下電極面が食塩水に触れるように構成されている。
【００２７】
前記第１の蓋部材４４ａの軸方向に沿う中央部には開口部４８が形成され、この開口部４８にＬＥＤ１２，２つのボタン型電池４９及び導電性コイルバネ５０が埋め込まれている。前記コイルバネ５０及び第２の蓋部材４４ｂにより、前記ボタン型電池４９が図中の下部側に押し付けられるようになっている。前記第２の蓋部材４４ｂの外周部には、Ｏリング８が配置されている。前記第２の蓋部材４４ｂは前記第１の蓋部材４４ａの開口部４８に埋め込まれたコイルバネ５０を下方向に押圧するように第２のの蓋部材４４ｂに冠着されている。なお、蓋４４の外周部には、ボタン型電池４８をＯＮ，ＯＦＦする図示しないスイッチが設けられている。
【００２８】
こうした構成のハンディ型電極を使用するときは、次のように行なう。まず、蓋４４を容器本体４１から外し、容器本体４１内に水及び食塩からなる食塩水４２を入れ、蓋４４を閉める。つづいて、この状態でハンディ型電極をよくふって、食塩水４２中の食塩を水に十分溶かしてから、スイッチをいれ、電流を食塩水４２中に流す。これにより塩素を含む食塩水が生成される。この後、蓋４４を外して食塩水４２を消毒されていない水等の中に入れ、飲料水とする。
【００２９】
なお、上記実施例２では、スイッチを蓋の外側に設けた場合について述べたが、これに限らず、例えば、容器本体側に設けてもよい。また、蓋が容器本体と嵌合したときＯＮ，ＯＦＦするような構成にしてもよい。
【００３０】
（参考例２）
図６を参照する。但し、図１と同部材は同符号を付して説明を省略する。
本参考例２は、ハンディ型電極１を釣り具の浮きとして使用する例を示す。この場合、図１のように、まず筒状容器３全体を細長くする。また、上部に位置する例えばプラス電極５１を軽い材質例えばチタン製にし、下部に位置するマイナス電極５は重い材質例えばフェライト製として、水中に浮くような構成にする。但し、上部にマイナス電極が位置し、下部にプラス電極が位置してもよい。また、筒状容器３内に収納する乾電池としては１２Ｖの乾電池を用いる。
【００３１】
このように、上記参考例２によれば、ハンディ型電極１のマイナス電極及びプラス電極のうち、一端側を軽く他端側を重い材料で構成して水面に対してほぼ垂直に浮くように構成することにより、ハンディ型電極１を釣り具の浮きとして用いることができる。そして、筒状容器３内には水中でマイナス電極５１とプラス電極５が導通することによりＬＥＤが点灯するので、夜等のように周囲がくらい場合は、ＬＥＤの点灯で釣り具の針にあたりがきたかどうかの確認ができる。
【００３２】
なお、上記参考例２では、ハンディ型電極を釣り具の浮きとして用いる場合について述べたが、これに限らず、釣り具の重りあるいは集魚器として使用してもよい。例えば、集魚器として用いる場合は、袋状のものにハンディ型電極を収納し、これを釣り針の近くにセットすることにより、ＬＥＤの点灯時の明かりに魚を集まりやすく、釣り針に魚がかかり易い。
【００３３】
【発明の効果】
以上詳述したように本発明によれば、水が収容された容器内に投入して放置するだけで、花瓶等の容器内の水の汚れを回避して植物の寿命を延ばしたり、水垢を除去したり、食器や水を除菌したり、消毒されていない水の飲料水化ができる等の効果を有する、取扱いが容易でコンパクトな構成のハンディ型電極を提供できる。
【図面の簡単な説明】
【図１】  本発明の実施例１に係るハンディ型電極の展開斜視図。
【図２】  図１の要部Ｘの断面図。
【図３】  本発明に係るハンディ型電極の一使用例の説明図。
【図４】  本発明に係るハンディ型電極の移動形態の説明図。
【図５】  本発明の参考例１に係るハンディ型電極の説明図。
【図６】  本発明の参考例２に係るハンディ型電極の説明図。
【符号の説明】
１…ハンディ型電極、２…乾電池、３…筒状容器、４，４６，５１…プラス電極、５，４７…マイナス電極、６…第１の筒状ケース、７…第２の筒状ケース、８…Ｏリング、９…リング状の溝、１０…接続板、１１，５０…コイルバネ、１２…ＬＥＤ、４１…容器本体、４４…蓋、４９…ボタン型電極。
【図１】
0004587149.tif 000002
【図２】
0004587149.tif 000003
【図３】
0004587149.tif 000004
【図４】
0004587149.tif 000005
【図５】
0004587149.tif 000006
【図６】
0004587149.tif 000007